(57)【要約】【課題】ペットボトルやアルミ缶等の飲料容器を冷却可能な容器冷却装置を提供し、常に適度に冷えた飲料を楽しめるようにする。【解決手段】容器冷却装置を、飲料容器を設置するための載置部２を有しこの載置部２の周縁に空気噴出孔３を備えてなる本体１と、適度な伸縮性と適度な吸水性を有し本体１の載置部２に下端を固定し飲料容器の外周を覆う円筒形の冷却手段７と、本体１に格納され本体１の空気噴出孔３より冷却手段７に対して空気を流出するための送風手段５と、を備えて構成する。【選択図】    図２
2004264007.tif 000002
【特許請求の範囲】
【請求項１】
ペットボトルやアルミ缶等の飲料容器を冷却するための容器冷却装置であって、
この容器冷却装置を、
飲料容器を設置するための載置部を有し、この載置部の周縁に空気噴出孔を備えてなる本体と、
適度な伸縮性と適度の吸水性とを有し、本体の前記載置部に下端を固定し飲料容器の外周を覆う円筒状の冷却手段と、
本体に格納され、本体の前記空気噴出孔より前記冷却手段に対して空気を送るための送風手段と、
を備えて構成したことを特徴とする容器冷却装置。
【請求項２】
ペットボトルやアルミ缶等の飲料容器を冷却するための容器冷却装置であって、
この容器冷却装置を、
飲料容器を覆うように所定の長さを有してなる円筒状のホルダー本体と、
適宜の伸縮性と適度な吸水性を有し、前記ホルダー本体の内壁面とに所定の空隙をおいて格納され、飲料容器の外周を覆うように円筒状に形成される冷却手段と、
前記ホルダー本体の下端に設けられ、ホルダー本体と前記冷却手段との空隙部に対して空気を流出するための送風手段と、
を備えて構成したことを特徴とする容器冷却装置。
【発明の詳細な説明】
【０００１】
【発明の属する技術分野】
この発明は、ペットボトルやアルミ缶等の飲料容器を冷却するための容器冷却装置に関するものであり、詳しくは、卓上での使用は勿論、携帯にも適した容器冷却装置に関するものである。
【０００２】
【発明の背景】
近年、自動販売機やコンビニエンスストアー等の普及に伴い、ペットボトルやアルミ缶等の飲料容器に入れられたお茶やジュース等が出先等であっても気軽に楽しめるようになった。
そして今日、こうした飲料容器に入れられた飲料を、ゆっくりと時間をかけて飲む楽しみ方が親しまれている。すなわち、一度に飲み干す以上の充分な容量の飲料容器を購入し、散歩を楽しみながら、あるいは仕事や勉強をしながら少しずつ飲料を楽しむ傾向が若者を中心として流行しつつある。また、こうした傾向に応じるように各飲料メーカーも持運びに便利な上、適度な容量を有した飲料容器の販売を積極的に行っている。
【０００３】
【発明が解決しようとする課題】
しかしながら上述のような時間をかけてゆっくりと飲料を楽しむ飲み方は、飲み始めにおいては適度に冷えた飲料を楽しむことが出来ても時間の経過とともに徐々に飲料が温まり、飲み終わる頃には飲料の「味」、「風味」、「爽快感」が悪くなるという不都合が生じることになる。
こうした不都合は外気温度の高い夏場に顕著となるが、夏場に限らず暖房の入れられた室内においてもよく経験することである。そして飲料が温まると飲むに耐えない味気のないものとなり処分せざるを得ないことも多い。
【０００４】
一方、上述の不都合とは別に適度に冷えたペットボトルやアルミ缶は、周囲の湿気によってその表面に水滴が生成されることになり、この水滴によって不都合を生じることも多い。
すなわち、外出時において飲料容器に水滴が生じると衣服やカバン等が水滴によって濡れてしまう、また手が水滴によって濡れてしまい本等の紙面が扱いにくくなるという不都合も生じる。また飲料容器を机の上に置いた場合であっても、机に飲料容器からの水滴が滴下し、これによって書面等を濡らしてしまう事がある。
【０００５】
こうした不都合を解決するために従来では飲料容器を覆う技術が提案されている。すなわち、飲料容器の略全面を覆うことによって飲料容器を外部と遮断して飲料の温度を維持（保温）する技術が知られている。
しかしながら、これらの技術においては容器表面に生じる水滴の問題は解決できるものの、飲料の温度変化に関しては保温機能、すなわち「温度の上昇を僅かに遅らせる」程度の能力しかなく、時間をかけて飲料を楽しんだ場合には飲み終わる頃に飲料が生温くなっていることが多い。
【非特許文献１】
「特開平６−２３１９８７号公報」
【非特許文献２】
「特開平６−１２４６１５号公報」
【０００６】
【課題を解決するための手段】
この発明に係る容器冷却装置は、上記従来の課題を解決するためになされたものであり、容器冷却装置を、飲料容器を設置するための載置部を有しこの載置部の周縁に空気噴出孔を備えてなる本体と、適度な伸縮性と適度の吸水性とを有し本体の前記載置部に下端を固定し飲料容器の外周を覆う円筒状の冷却手段と、本体に格納され本体の前記空気噴出孔より前記冷却手段に対して空気を送るための送風手段と、を備えて構成する。
【０００７】
あるいは容器冷却装置を、飲料容器を覆うように所定の長さを有してなる円筒状のホルダー本体と、適宜の伸縮性と適度な吸水性を有し前記ホルダー本体の内壁面とに所定の空隙をおいて格納され飲料容器の外周を覆うため円筒状に形成された冷却手段と、前記ホルダー本体の下端に設けられホルダー本体と前記冷却手段との空隙部に対して空気を流出するための送風手段と、を備えて構成する。
【０００８】
以上のように容器冷却装置を構成することによって、適度な湿りを有する冷却手段に送風手段からの空気を当て、冷却手段の水分が蒸発する際に必要とする「気化熱」を利用して飲料容器を持続的に冷却し、常に適度に冷えた飲料を楽しめるようにする。また、飲料容器の表面に生成する水滴を随時蒸発させることによって、水滴によって所持品や手が濡れてしまうとう不都合を解消する。
【０００９】
【発明の実施の形態】
図面にもとづいてこの発明の実施の形態を説明する。図１はこの発明の請求の範囲第１項に係る容器冷却装置の一実施形態を示す分解斜視図であり、図２は図１に示した容器冷却装置の作用を説明する正面図である。
【００１０】
図において１は本体であり、この例において本体１は中空部を有してなる円形の箱体からなり、上部１ａと、下部１ｂと、からなっている。そしてこの本体１の上部１ａの中央部には飲料容器（図２参照）の下部を保持するための円筒形状の載置部２が設けられている。
また、３は本体１の上面に対して設けられる空気噴出孔であり、この空気噴出孔３は図に示すように載置部２を囲うように環状に形成されている。
そして、４は本体１の周面に適度の間隔をおいて複数設けられた空気流入孔である。
【００１１】
一方、７は冷却手段であり、この冷却手段７は適度な伸縮性と適度な吸水性を有した布状の部材からなり、図２に示すように飲料容器を覆うことが出来るようになっている。そしてこの冷却手段７の上部には円形ゴムバンドが設けられていて、飲料容器をしっかりと保持可能となっている。
ところで、飲料容器としてのペットボトルやアルミ缶等の形状は、「円柱状」や「多角形状」のもの等、種々の形状のものが提供されているが、冷却手段７は適度な伸縮性を有しているのでいずれの形状からなる飲料容器であってもその外周面にしっかりと密着可能である。
なお、この冷却手段７を構成するための素材は、適度の伸縮性と吸水性を有しているものであれば良く、その素材は特に限定されるものではない。
【００１２】
また５は本体１に格納される送風手段であり、この送風手段５は、モーターＭと、モーターＭの回転軸に固定されるファン６と、着脱自在に設けられる乾電池と、からなっていて、所定のスイッチを入れる事によって上方に向けて空気を送ることが出来るようになっている。
なお、この送風手段５のファン６は前記載置部２の下面に空気を送ることを避け、載置部２の外周（空気噴出孔３）から空気を流出するよう図２に示すように中心部から適宜の距離をおいて送風部位が形成されている。
【００１３】
以上の構成からなる容器冷却装置の作用を図２にもとづいて説明する。図２に示すように冷却手段７によって飲料容器を覆うようにして飲料容器を容器冷却装置に対してセットする。
【００１４】
ここで予め冷却されてなる飲料容器は、周囲の湿気を集め容器表面に水滴を生成することになる。そして、その水滴は適度な吸水性を有してなる冷却手段７によって吸収され、吸収された水は冷却手段７の全面へと迅速に浸透し、冷却手段７は適度な水分を蓄えた状態となる。
【００１５】
そして、送風手段５を駆動させることによって送風手段５は矢符で示すように外気を空気流入孔４から本体１内に取り入れ、その空気を空気噴出孔３から冷却手段７に対して流出する。
これによって、送風手段５から流出する空気を受けた冷却手段７は、蓄えた水分を蒸発させ、水分蒸発に必要とされる熱エネルギー（気化熱）を飲料容器から奪うことになる。従って飲料容器は、飲料が飲み干されるまでの間、換言すれば飲料が残留している間、送風手段５と冷却手段７との両者によって冷却され続けることになる。
【００１６】
また、飲料容器の表面に生成される水滴の殆どは冷却手段７と送風手段５による作用によって蒸発するので、飲料容器から水滴が滴下するという従来の不都合は解消される。
【００１７】
なお、この容器冷却装置にセットする飲料容器が冷却されておらず、飲料容器自体が水滴を生成できない場合には、冷却手段７を水道水等によって適度に湿らせるようにすれば上述のように「気化熱」によって飲料容器を冷却することが可能である。
【００１８】
一方、図１に示す８は本体１に対して着脱自在に設けられる伸縮自在な肩掛けベルトであり、この肩掛けベルト８を利用すればこの容器冷却装置を散歩やスポーツ観戦等に気軽に持運び可能であり、外出時においても適度に冷えた飲料をゆっくりと楽しむ事が出来る。そして容器冷却装置を卓上で使用する場合等、肩掛けベルト８が不要である時は取り外すことも出来る。
【００１９】
また、この容器冷却装置は飲料容器を保持した状態（図２に示す状態）および飲料容器を保持していない状態のいずれであっても送風手段５によって空気を一方の方向へと流出させることが出来るので、この容器冷却装置を通常の送風機（扇風機）としても利用可能であり、例えばスポーツ観戦時等に持参すれば飲料の冷却は勿論、飲料を飲んだ後には扇風機として使用可能である。
【００２０】
次に図３および図４にもとづいてこの発明の請求項第２項に係る容器冷却装置の一実施形態を説明する。なお、図１ないし図２に示した容器冷却装置と同一箇所には同一符号を付して重複説明は省略する。
図３は容器冷却装置を示す分解斜視図であり、図４は図３に示した容器冷却装置の作用を説明する一部断面図である。
【００２１】
図において９はホルダー本体であり、この例においてホルダー本体９は適度な長さを有した樹脂材によって円筒形に形成されていて、図４に示すように飲料容器を覆うに充分な内径を備えている。
【００２２】
一方、７はホルダー本体９内に格納される冷却手段であり、この冷却手段７は上述のように適度な伸縮性と適度な吸水性をなした円筒形状の部材からなっていて、この例において冷却手段７は、図に示すようホルダー本体９と略同じ長さに形成されている。
【００２３】
そしてこの冷却手段７は図４に示すようにホルダー本体９の内壁面とに所定の空隙（数ミリ前後）をおいて設けられており、このホルダー本体９と冷却手段７との間の適宜の空隙を形成するために、これらの間には適度な弾性を有した３本の連結パイプＰが垂直状に固着されている。
この３本の連結パイプＰを介在させたことによって、冷却手段７はホルダー本体９内においてその形状を自在に変化させることが出来、種々形状の異なる飲料容器は、３本の連結パイプＰの復元力と冷却手段７の復元力とによってホルダー本体９内にしっかりと固定される。
【００２４】
そして、これらホルダー本体９および冷却手段７の下端部には送風手段５として上述の本体１が設置されていて、この送風手段５は図４に示すように外気を流入し、これをホルダー本体９と冷却手段７との空隙内へと流出するようになっている。なお、冷却手段７とホルダー本体９の間を通過した空気はホルダー本体９の上部から外部へと放出される。
【００２５】
この容器冷却装置においても、図１および図２に示した容器冷却装置と同様に水分を含んだ冷却手段７に対して空気を送ることにより、冷却手段７の水分を蒸発させるために必要となる気化熱を利用して飲料容器を効率的に冷却することが可能である。
【００２６】
なお、この容器冷却装置においては飲料容器を容器冷却装置の上方から差し入れる、あるいは引き出すようにするだけで飲料容器の脱着が可能であるという利点がある。
【００２７】
また、この容器冷却装置は飲料容器の略全体をホルダー本体９内に収納する構造となっているので容器冷却装置を持つ際に手に送風手段５からの風が当たることはなく、また冷却手段７に触れて指先が湿ることもない。
【００２８】
そしてまた、この容器冷却装置は飲料容器の略全体をホルダー本体９によって保護しているので、誤って容器冷却装置を落下させることがあっても飲料容器の破損を防止することが出来、特にガラスにより形成される飲料容器に関しては有効である。
【００２９】
【発明の効果】
この発明に係る容器冷却装置は、以上説明したように、飲料容器を覆う吸水性のある円筒状の冷却手段と、この冷却手段に対して空気を噴出する送風手段と、を備えて構成したので、冷却手段が含んだ水分が蒸発する際に使用される気化熱を利用して飲料容器を持続的かつ効率的に冷やすことが可能である。
これによって飲み始めは勿論、時間をかけてゆっくりと飲料を飲んだ場合であっても常に冷えた飲料を楽しむことが出来る。
【００３０】
また、飲料容器の表面に生成される水滴を蒸発させることにより、水滴で手や洋服、机等が濡れるという不都合を解消することもできる。
【図面の簡単な説明】
【図１】この発明の請求の範囲第１項に係る容器冷却装置の一実施形態を示す分解斜視図である。
【図２】図１に示した容器冷却装置の作用を示す正面図である。
【図３】この発明の請求の範囲第２項に係る容器冷却装置の一実施形態を示す分解斜視図である。
【図４】図２に示した容器冷却装置の作用を示す一部断面図である。
【符号の説明】
１  本体
２  載置部
３  空気噴出孔
５  送風手段
７  冷却手段
９  ホルダー本体
【図１】
2004264007.tif 000003
【図２】
2004264007.tif 000004
【図３】
2004264007.tif 000005
【図４】
2004264007.tif 000006